(57)【要約】【課題】  リング状の保持部に必要に応じた大きさの間隙を設けることができるようにする。【解決手段】  フック１は合成樹脂の一体成形により形成されており、リング状に形成されている保持部１０を備え、この保持部１０の先端側のほぼ半部に所定間隔で複数の切溝１０ａが設けられている。切溝１０ａの深さはニッパ等により切溝１０ａの位置で保持部１０を容易に切断することのできる深さに設定されている。所定の位置の切溝１０ａにおいて保持部１０を切断することにより任意の大きさの間隙を設けることができる。【選択図】  図１
2006258230.tif 000002
【特許請求の範囲】
【請求項１】
内側を挿通空間とすることができるようにリング状に形成されている保持部と、
該保持部の周縁部から外方向へ延伸するよう形成されている腕部と、
該腕部の端部に設けられている取付部とを備え、
前記リング状の保持部に、切断可能とするための切溝が所定間隔で複数形成されていることを特徴とするフック。
【請求項２】
略矩形状に形成された前記取付部の面が、前記腕部の延伸方向に対してほぼ直交するよう形成されていることを特徴とする請求項１記載のフック。
【請求項３】
前記腕部に対して前記リング状の保持部が傾斜して形成されていることを特徴とする請求項１記載のフック。
【請求項４】
前記リング状の保持部が円形、楕円形、多角形のいずれかの形状とされていることを特徴とする請求項１記載のフック。
【請求項５】
前記取付部が、被取付物に対してねじ込み可能なネジ部とされていることを特徴とする請求項１記載のフック。
【請求項６】
前記リング状の保持部と、前記腕部と、前記取付部とが一体成形されていることを特徴とする請求項１記載のフック。
【発明の詳細な説明】
【技術分野】
【０００１】
本発明は、長尺物を挿通して保持したり物を吊すことのできるリング部を備えるフックに関する。
【背景技術】
【０００２】
従来、建物の壁面や柱等に固定して物を吊すことのできるリング部を備えるフックが知られている。従来のフックの一例を図８に示す。図８に示すフック１００は、直径が数ｍｍとされている金属棒をリング状に折曲して保持部１０１を作成すると共に、保持部１０１から延伸するよう腕部１０２を形成している。腕部１０２の端部には建物の壁面や柱等にねじ込んで固定するためのネジ部１０３が形成されており、ネジ部１０３と腕部１０２との境界に鍔部１０４が形成されている。また、従来のフックの他の例を図９に示す。図９に示すフック１１０は、直径が数ｍｍとされている金属棒をリング状に折曲して保持部１１１を作成すると共に、保持部１１１から延伸するよう腕部１１２を形成している。腕部１１２の端部には建物の壁面や柱等にねじ込んで固定するためのネジ部１１３が形成されており、ネジ部１１３と腕部１１２との境界に鍔部１１４が形成されている。このフック１１０では、保持部１１１の先端と腕部１１２との間に間隙が設けられており、閉じた取付孔が設けられている例えば鍵のような被取付物でも、この間隙を利用して保持部１１１に取付孔に挿通して吊すことができるものとされている。
【発明の開示】
【発明が解決しようとする課題】
【０００３】
フックには被取付物を吊すことができるほか、リング状の保持部内に線材等の長尺物を挿通して保持させることができる。この場合、図８に示す従来のフック１００を用いて線材等の長尺物を保持する際には、複数のフック１００を線材等の長尺物を布設する経路に所定間隔で取り付け、それぞれのフック１００において保持部１０１内に線材等の長尺物を挿通する必要がある。しかし、フック１００では保持部１０１が閉じているため、線材等の長尺物の端部をそれぞれのフック１００の保持部１０１内に順次挿通していかなければならず、その作業が繁雑になるという問題点があった。
また、図９に示す従来のフック１１０を用いて線材等の長尺物を保持する際には、複数のフック１１０を線材等の長尺物を布設する経路に所定間隔で取り付け、それぞれのフック１１０において保持部１１１内に保持部１１１の先端と腕部１１２との間の間隙から線材等の長尺物を挿通すればよい。しかし、フック１１０における間隙は固定とされているため、線材等の長尺物の形状や太さによっては間隙から抜け出てしまったり、間隙を通過させることができず保持部内に収納することができないという問題点があった。
【０００４】
そこで、本発明は、リング状の保持部に必要に応じた大きさの間隙を設けることのできるフックを提供することを目的としている。
【課題を解決するための手段】
【０００５】
上記目的を達成するために、本発明のフックは、リング状の保持部に、切断可能とするための切溝が所定間隔で複数形成されていることを最も主要な特徴としている。
【発明の効果】
【０００６】
本発明によれば、リング状の保持部に、切断可能とするための切溝が所定間隔で複数形成されていることから、所定の位置の切溝で切断することにより、リング状の保持部に必要とする大きさの間隙を任意の大きさで設けることができるようになる。
【発明を実施するための最良の形態】
【０００７】
本発明のフックでは、リング状の保持部に必要に応じた大きさの間隙を設けることのできるフックを提供するという目的を、リング状の保持部に、切断可能とするための切溝を所定間隔で複数形成することで実現した。
【０００８】
本発明の第１の実施例のフックの全体構成を図１ないし図３に示す。ただし、図１は本発明にかかる第１の実施例のフックの構成を示す平面図であり、図２は本発明にかかる第１の実施例のフックの構成を示す側面図であり、図３は本発明にかかる第１の実施例のフックの構成を示す正面図である。
これらの図に示すように第１の実施例のフック１は合成樹脂の一体成形により形成されており、リング状に形成されている保持部１０を備え、この保持部１０の先端側のほぼ半部に所定間隔で複数の切溝１０ａが設けられている。切溝１０ａの深さはニッパ等により切溝１０ａの位置で保持部１０を容易に切断することのできる深さに設定されている。保持部１０の周縁部からは所定長さの腕部１１が延伸して形成されており、腕部１１の先端には矩形の取付部１２が形成されている。矩形状の取付部１２の面は、腕部１１の延伸方向にほぼ直交している。
【０００９】
矩形状の取付部１２の四隅には取付孔１２ａがそれぞれ形成されており、この取付孔１２ａにそれぞれネジを挿通してネジを建物の壁面や柱等にねじ込むことにより、フック１を建物の壁面や柱等に固着することができる。保持部１０および腕部１１の断面形状はほぼ円形とされており、その外径Ｄは約６〜１０ｍｍとするのが好適とされている。また、リング状の保持部１０の内径φは約２８〜４４ｍｍとするのが好適であり、腕部１１の長さＬは約２５〜５５ｍｍとするのが好適である。さらに、取付部１２の１辺は約２５〜５０ｍｍとするのが好適であり、その厚さｄは約２ｍｍとするのが好適である。
【００１０】
さらにまた、リング状の保持部１０に形成されている複数の切溝１０ａの２カ所を切断することにより、保持部１０に間隙を形成することができ、間隙の大きさは切溝１０ａの位置と切溝１０ａの間隔により決定されるようになる。すなわち、切溝１０ａの数は多いほど、切溝１０ａの間隔は短いほど間隙の大きさを細かく調節することができるようになる。切溝１０ａの間隔は例えば、保持部１０の中心においてなす角度が約１５°となるような間隔とされ、保持部１０の中心においてなす角度が約１５０°の範囲において、例えば１１個の切溝１０ａが形成されている。このように、所定の位置の切溝１０ａの２カ所を切断することにより、保持部１０に挿通したい線材等の長尺物の大きさに対応した大きさの間隙を保持部１０に形成することができるようになる。
【００１１】
これにより、本発明にかかるフック１を用いて線材等の長尺物を保持する際には、複数のフック１を線材等の長尺物を布設する経路に所定間隔で取り付け、それぞれのフック１において線材等の長尺物の大きさに対応した切溝１０ａの２カ所を切断して間隙を形成し、この間隙から保持部１０内に線材等の長尺物を挿通すればよいようになる。したがって、本発明にかかるフック１を用いて線材等の長尺物を保持する作業を簡易に行うことができるようになる。また、間隙の大きさは線材等の長尺物の大きさに応じた大きさに調節することができることから、線材等の長尺物の形状や太さが変わっても間隙から抜け出たり、間隙を通過できないことを解消することができるようになる。この場合、フック１は合成樹脂の一体成形により形成されていることから保持部１０はある程度の弾性を有しており、保持部１０に形成された間隙より若干太い長尺物を間隙を弾性に抗して拡張して保持部１０内に挿通することができる。挿通後は間隙の幅は弾性により元の幅に戻るようになる。
【００１２】
なお、切溝１０ａの数や間隔は上記の一例に限るものではなく、切溝１０ａの間隔が保持部１０の中心においてなす角度が１５°未満でも１５°を超えるように形成してもよく、保持部１０の中心においてなす角度が１５０°の範囲未満でも１５０°の範囲を超える範囲に切溝１０ａを形成するようにしてもよい。
また、線材等の長尺物を保持する際にはフック１におけるリング状の保持部１０の面は一般には水平方向に配置されるが、フック１に物を吊り下げる場合にはフック１におけるリング状の保持部１０の面を垂直方向に配置する。垂直方向に配置した場合においても、吊り下げる物の大きさに応じて切溝１０ａの２カ所を切断して所定の大きさの間隙を形成することができる。
【００１３】
次に、本発明の第２の実施例のフックの全体構成を図４に示す。ただし、図４は本発明にかかる第２の実施例のフックの構成を示す側面図である。
本発明の第２の実施例のフック２は図４に示すように、リング状の保持部２０の面が腕部２１に対して傾斜して形成されている。他の構成は第１の実施例のフック１と同様の構成とされており、フック２は合成樹脂の一体成形により形成され、リング状に形成されている保持部２０を備え、この保持部２０の先端側のほぼ半部に所定間隔で複数の切溝２０ａが設けられている。切溝２０ａの深さはニッパ等により切溝２０ａの位置で保持部２０を容易に切断することのできる深さに設定されている。保持部２０の周縁部からは所定長さの腕部２１がリング状の保持部２０の面に対して傾斜する方向に延伸して形成されており、腕部２１の先端には矩形の取付部２２が形成されている。矩形状の取付部２２の面は、腕部２１の延伸方向にほぼ直交している。
【００１４】
本発明の第２の実施例のフック２においても保持部２０および腕部２１の断面形状はほぼ円形とされており、フック２における各部の寸法も第１の実施例のフック１と同様の寸法とされている。本発明の第２の実施例のフック２は、線材等の長尺物を保持するのに好適なようにリング状の保持部２０の面が腕部２１に対して傾斜して形成されている。そして、リング状の保持部２０の先端が腕部２１に対して上方向を向くよう傾斜して状態で複数のフック２を線材等の長尺物を布設する経路に所定間隔で取り付けることにより、保持部２０内に保持された線材等の長尺物が保持部２０から抜け出ることを防止することができるようになる。
【００１５】
なお、リング状の保持部２０に形成されている複数の切溝２０ａの２カ所を切断することにより、保持部２０に間隙を形成することができ、間隙の大きさは切溝２０ａの位置と切溝２０ａの間隔により決定されるようになる。すなわち、切溝２０ａの数は多いほど、切溝２０ａの間隔は短いほど間隙の大きさを細かく調節することができるようになる。切溝２０ａの間隔は例えば、保持部２０の中心においてなす角度が約１５°となるような間隔とされ、保持部２０の中心においてなす角度が約１５０°の範囲において、例えば１１個の切溝２０ａが形成されているが、これに限るものではない。そして、所定の位置の切溝２０ａの２カ所を切断することにより、保持部２０に挿通したい線材等の長尺物の大きさに対応した大きさの間隙を保持部２０に形成することができるようになる。
【００１６】
次に、本発明の第３の実施例のフックの全体構成を図５に示す。ただし、図５は本発明にかかる第３の実施例のフックの構成を示す平面図である。
本発明の第３の実施例のフック３は図５に示すように、リング状の保持部３０が楕円形に形成されている。他の構成は第１の実施例のフック１と同様の構成とされており、フック３は合成樹脂の一体成形により形成され、リング状に形成されている保持部３０を備え、この保持部３０の先端側のほぼ半部に所定間隔で複数の切溝３０ａが設けられている。切溝３０ａの深さはニッパ等により切溝３０ａの位置で保持部３０を容易に切断することのできる深さに設定されている。保持部３０の周縁部からは所定長さの腕部３１が延伸して形成されており、腕部３１の先端には矩形の取付部３２が形成されている。矩形状の取付部３２の面は、腕部３１の延伸方向にほぼ直交している。本発明の第３の実施例のフック３における各部の寸法も、第１の実施例のフック１と同様の寸法とされているが、保持部３０の長軸は約３５〜５５ｍｍ、短軸は約２８〜４４ｍｍが好適とされる。保持部３０および腕部３１の断面形状はほぼ円形とされている。
【００１７】
なお、リング状の保持部３０に形成されている複数の切溝３０ａの２カ所を切断することにより、保持部３０に間隙を形成することができ、間隙の大きさは切溝３０ａの位置と切溝３０ａの間隔により決定されるようになる。すなわち、切溝３０ａの数は多いほど、切溝３０ａの間隔は短いほど間隙の大きさを細かく設定することができるようになる。切溝３０ａの間隔は例えば、楕円形の保持部３０の中心においてなす角度が約１５°となるような間隔とされ、保持部３０の中心においてなす角度が約１５０°の範囲において、例えば１１個の切溝３０ａが形成されているが、これに限るものではない。そして、所定の位置の切溝３０ａの２カ所を切断することにより、保持部３０に挿通したい線材等の長尺物の大きさに対応した大きさの間隙を保持部３０に形成することができるようになる。
【００１８】
次に、本発明の第４の実施例のフックの全体構成を図６に示す。ただし、図６は本発明にかかる第４の実施例のフックの構成を示す平面図である。
本発明の第４の実施例のフック４は図６に示すように、リング状の保持部４０が矩形に形成されている。他の構成は第１の実施例のフック１とほぼ同様の構成とされている。フック４は合成樹脂の一体成形により形成され、矩形のリング状に形成されている保持部４０を備え、この保持部４０の先端側の辺にその両端を残すように所定間隔で複数の切溝４０ａが設けられている。切溝４０ａの深さはニッパ等により切溝４０ａの位置で保持部４０を容易に切断することのできる深さに設定されている。保持部４０の周縁部からは所定長さの腕部４１が延伸して形成されており、腕部４１の先端には矩形の取付部４２が形成されている。矩形状の取付部４２の面は、腕部４１の延伸方向にほぼ直交している。本発明の第４の実施例のフック４における各部の寸法も、第１の実施例のフック１と同様の寸法とされているが、保持部４０の長辺は約３５〜５５ｍｍ、短辺は約２８〜４４ｍｍが好適とされる。保持部４０および腕部４１の断面形状はほぼ円形とされている。
【００１９】
なお、リング状の保持部４０に形成されている複数の切溝４０ａの２カ所を切断することにより、保持部４０に間隙を形成することができ、間隙の大きさは切溝４０ａの位置と切溝４０ａの間隔により決定されるようになる。すなわち、切溝４０ａの数は多いほど、切溝４０ａの間隔は短いほど間隙の大きさを細かく設定することができるようになる。切溝４０ａの間隔は例えば、断面が円形とされている保持部４０の外径と同様の寸法の約６〜１０ｍｍの長さとされ、保持部４０の先端側の辺にその両端を残すような範囲において４個の切溝４０ａが形成されているが、これに限るものではない。そして、所定の位置の切溝４０ａの２カ所を切断することにより、保持部４０に挿通したい線材等の長尺物の大きさに対応した大きさの間隙を保持部４０に形成することができるようになる。
【００２０】
次に、本発明の第１の実施例のフック１の変形例の全体構成を図７に示す。ただし、図７は本発明にかかる第１の実施例のフック１の変形例の構成を示す平面図である。
図７に示す第１の実施例における変形例のフック５は、矩形の取付部１２に替えて建物の壁面や柱等にねじ込むことのできるネジ部５２が形成されている。他の構成は第１の実施例のフック１と同様の構成とされているので、その説明は省略する。
なお、第２ないし第４の実施例のフック２，３，４においても矩形の取付部２２、３２、４２に替えて建物の壁面や柱等にねじ込むことのできるネジ部５２を形成するようにしてもよい。
【００２１】
以上の説明においては、フック１ないしフック５を合成樹脂の一体成形により作成するようにしたが、本発明はこれに限る物ではなく切溝を形成することにより切断可能なアルミニウム等の金属により作成するようにしてもよい。この場合、切溝の深さを深く形成して容易に切断できるようにしてもよい。
また、保持部の形状は円形、楕円形および矩形に限る物ではなく、三角形や五角形以上の多角形としてもよい。さらに、保持部および腕部の断面形状は円形に限らず、楕円形や多角形としてもよい。
【産業上の利用可能性】
【００２２】
以上の説明では建物の壁面や柱に取り付けるフックとしたが、これに限るものではなく種々の場所に取り付けることのできるフックに本発明を適用することができる。
【図面の簡単な説明】
【００２３】
【図１】本発明にかかる第１の実施例のフックの構成を示す平面図である。
【図２】本発明にかかる第１の実施例のフックの構成を示す側面図である。
【図３】本発明にかかる第１の実施例のフックの構成を示す正面図である。
【図４】本発明にかかる第２の実施例のフックの構成を示す側面図である。
【図５】本発明にかかる第３の実施例のフックの構成を示す平面図である。
【図６】本発明にかかる第４の実施例のフックの構成を示す平面図である。
【図７】本発明にかかる第１の実施例のフックの変形例の構成を示す平面図である。
【図８】従来のフックの構成の一例を示す平面図である。
【図９】従来のフックの構成の他の例を示す平面図である。
【符号の説明】
【００２４】
１  フック、２  フック、３  フック、４  フック、５  フック、１０  保持部、１０ａ  切溝、１１  腕部、１２  取付部、１２ａ  取付孔、２０  保持部、２０ａ  切溝、２１  腕部、２２  取付部、３０  保持部、３０ａ  切溝、３１  腕部、３２  取付部、４０  保持部、４０ａ  切溝、４１  腕部、４２  取付部、５２  ネジ部、１００  フック、１０１  保持部、１０２  腕部、１０３  ネジ部、１０４  鍔部、１１０  フック、１１１  保持部、１１２  腕部、１１３  ネジ部、１１４  鍔部
【図１】
2006258230.tif 000003
【図２】
2006258230.tif 000004
【図３】
2006258230.tif 000005
【図４】
2006258230.tif 000006
【図５】
2006258230.tif 000007
【図６】
2006258230.tif 000008
【図７】
2006258230.tif 000009
【図８】
2006258230.tif 000010
【図９】
2006258230.tif 000011